(57)【要約】【課題】ブリンキングバックライトのランプ間に隔壁を置いた際、ランプ間の隔壁上に生じる色づきをなくして高コントラストの液晶表示装置を提供する。【解決手段】本発明の液晶表示装置１は、制御部１０の駆動制御部７が、ゲートドライバ５とソースドライバ６とに制御信号を出力し、液晶表示パネル３の応答速度の早い、Ｂ（青）＞Ｇ（緑）＞Ｒ（赤）の画素順に黒挿入電圧を高く設定する制御を行う。【選択図】図１
2007192912.tif 000002
【特許請求の範囲】
【請求項１】
ＯＣＢ型液晶モードを用いた黒挿入駆動型液晶表示素子とブリンキングバックライトとを組み合わせた液晶表示装置において、前記黒挿入駆動型液晶表示素子における赤、緑、青の各画素の黒挿入電圧を、青＞緑＞赤の画素順に高い電圧に制御することを特徴とする液晶表示装置。
【請求項２】
前記ブリンキングバックライトは、当該バックライトを構成する複数のランプ間に隔壁を設けたことを特徴とする請求項１記載の液晶表示装置。
【請求項３】
前記液晶表示装置は、さらに、前記黒挿入駆動型液晶表示素子の表面温度を検知し、検知した温度に応じて、前記黒挿入駆動型液晶表示素子における赤、緑、青の各画素の黒挿入電圧を、青＞緑＞赤の画素順に高い電圧に制御することを特徴とする請求項１記載の液晶表示装置。
【発明の詳細な説明】
【技術分野】
【０００１】
この発明は、液晶テレビ、液晶モニタ等に用いられる液晶表示装置に関する。
【背景技術】
【０００２】
近年、液晶の動画視認性を向上させる目的で考案されているのがブリンキングバックライトと黒挿入駆動型液晶表示素子とを組み合わせた液晶表示装置である。これは、主にＯＣＢ型液晶表示素子との組み合わせで用いられ、良好な動画視認性と高コントラストの両立を図ることができる。
【０００３】
ＯＣＢ型液晶表示素子は、ＴＦＴトランジスタ等を有するアクティブマトリクス基板と組み合わせて使用される例が多い。このＯＣＢ型液晶表示素子は高速応答が可能であり、１フレーム期間内に２回の書き込みをさせることも可能である。この特性を生かし、１フレーム内に表示信号とは別に、黒表示期間を書き込む技術が開示されている（例えば、特許文献１、特許文献２）。これを黒挿入駆動と呼ぶ。
【０００４】
ブリンキングバックライトと黒挿入駆動型液晶表示素子を組み合わせた液晶表示装置において、より高コントラストを得るためにはブリンキングバックライトのランプ間に隔壁を置き、ランプの発光指向性を平行光に近づければ良い。
【０００５】
しかしながら、この方法を用いた場合、ランプ間の隔壁上に色づきが生じるという課題が発生する。この課題は、隔壁上に照射される光が隔壁両側にあるオフするランプとオンするランプとの混ざった光であり、この２つの光に対する液晶表示素子の応答速度がＲ（赤）、Ｇ（緑）、Ｂ（青）の各画素で異なっていることに起因している。
【特許文献１】特願２０００−２１４８２７号公報
【特許文献２】特願２００２−１０７６９５号公報
【発明の開示】
【発明が解決しようとする課題】
【０００６】
上述したように、より高コントラストを得るためにブリンキングバックライトのランプ間に隔壁を置いた場合、ランプ間の隔壁上に色づきが生じるという問題があった。
【０００７】
この発明の目的は、ブリンキングバックライトと黒挿入駆動型液晶表示素子を組み合わせた液晶表示装置において、ブリンキングバックライトのランプ間に隔壁を置いた際、ランプ間の隔壁上に生じる色づきをなくして高コントラストの液晶表示装置を提供することである。
【課題を解決するための手段】
【０００８】
本発明によれば、ＯＣＢ型液晶モードを用いた黒挿入駆動型液晶表示素子とブリンキングバックライトとを組み合わせた液晶表示装置において、前記黒挿入駆動型液晶表示素子における赤、緑、青の各画素の黒挿入電圧を、青＞緑＞赤の画素順に高い電圧に制御することを特徴とする液晶表示装置が提供される。
【発明の効果】
【０００９】
本発明の液晶表示装置は、液晶表示パネルの黒挿入電圧を通常の黒挿入電圧の設定であるＲ＞Ｇ＞Ｂの順とは逆のＢ＞Ｇ＞Ｒの順に電圧調整することで、Ｒ，Ｇ，Ｂの各画素間の応答特性の差を小さくして隔壁間に生じる色づきをなくすことができる。
【発明を実施するための最良の形態】
【００１０】
以下、図面を参照して、この発明の実施の形態について詳細に説明する。
【００１１】
図１は、本発明の液晶表示装置の構成を示すものである。この液晶表示装置１は、バックライト２を背面に配置し、透過型の液晶表示パネル３を有している。液晶表示パネル３は、図示しない複数のゲート配線と複数のソース配線とを有し、それぞれゲートドライバ５、ソースドライバ６に接続されている。制御部１０は、液晶表示パネル３を駆動制御する駆動制御部７と対向制御部８と、インバータ４を介してバックライト２を制御するＰＷＭ制御部９とから構成されている。
【００１２】
なお、バックライト２は、ブリンキングバックライトとして、詳しくは後述するが６灯のＣＣＦＬ（冷陰極管）を有する直下型バックライトを用いている。
【００１３】
また、液晶表示パネル３は、黒挿入駆動型液晶表示素子として応答特性に優れたＯＣＢ型液晶表示素子を用いている。
【００１４】
制御部１０の駆動制御部７は、ゲートドライバ５とソースドライバ６とに制御信号を出力して液晶表示パネル３を制御し、さらにＰＷＭ制御部９に制御信号を出力する。ＰＷＭ制御部９は、この制御信号に同期してバックライト２を駆動するパルス信号のデューティー比ならびにオン／オフタイミング（位相）を制御する。
【００１５】
図２は、本発明で用いる隔壁付きバックライトの概略構成を示すものである。図２において、ランプ（ＣＣＦＬ）１１，１２，１３，１４間に三角柱状の隔壁２０を配置し、隣接ランプの残光が黒挿入表示領域に入り込むのを防ぐ効果を有し、高コントラスト化を図ることができる。回路構成としては、インバータ４に電源３０が接続され、このインバータ４によりランプ１１，１２，１３，１４が駆動される。ＰＷＭ制御部９からインバータ４に制御信号が送られ、インバータ４を介してランプ１１，１２，１３，１４を駆動するパルス信号のデューティー比ならびにオン／オフタイミング（位相）が制御される。
【００１６】
なお、図２において、ランプ１１，１２，１３，１４の光は、拡散板レンズシート４０を通して液晶表示パネル３に照射される。
【００１７】
図３は、バックライト２にＣＣＦＬ（冷陰極間）を６灯用いた場合の動作を示すものである。
【００１８】
図３の(ａ)に示すように、バックライト２は、ＣＣＦＬ（冷陰極間）のランプ１１，１２，１３，１４，１５，１６で構成されている。
【００１９】
図３の(ｂ)は、ランプ１３、１４の発光動作と、その直上の液晶表示パネル３の液晶駆動ならびにランプ１３とランプ１４の中間にある液晶駆動を示している。ここでは、ランプ１３，１４の直上の液晶駆動に対して、液晶の応答後から黒挿入までの期間にバックライト２が発光するようタイミングが調整されている。
【００２０】
図４は、ランプ１３，１４の間に生じる色づきの概念を示すものである。
【００２１】
図４の(ａ)に示すように、ランプ１３，１４間には隔壁２０があることから、ランプ１３の直上の液晶はランプ１３の光が支配的であり、ランプ１４の影響は少ない。一方、ランプ１４の直上の液晶はランプ１４の光が支配的であり、ランプ１３の影響は少ない。しかしながら、ランプ１３とランプ１４間にある隔壁２０上の液晶はランプ１３とランプ１４両方の影響を受けることになる。
【００２２】
図４の(ｂ)に示すように、液晶の応答速度はＲ（赤）、Ｇ（緑）、Ｂ（青）の画素ごとによって異なり、ここではＢ，Ｇ，Ｒの画素順に応答が速い。ランプ１３の上の液晶駆動では、Ｒ，Ｇ，Ｂの画素ともに液晶の応答が完了してからランプ１３が点灯し、液晶駆動が黒挿入期間に入る前にランプ１３がオフになる。
【００２３】
図４の(ｃ)に示すように、これに対して、ランプ１３とランプ１４の間の液晶駆動はランプ１３とランプ１４の両方の影響を受けるため、液晶駆動の黒挿入中にランプ１４はまだ点灯していることになる。このため、Ｒ，Ｇ，Ｂ各色の透過率がランプ直上の液晶とは異なって、色づきが生じることになる。
【００２４】
そこで、本発明では、液晶表示パネル３におけるＲ，Ｇ，Ｂの各画素の黒挿入電圧を変えることにより応答速度を調整し、Ｒ，Ｇ，Ｂの各画素間の透過率差が生じないようにすることでランプ間に生じる色づきを抑制する。
【００２５】
図５は、本発明に係る黒挿入電圧によるランプ１３，１４間の色づき解消の概念を示すものである。すなわち、図５の(ａ)と(ｂ)では、液晶表示パネル３の黒挿入電圧を変えた場合の応答波形を示すものである。液晶表示パネル３の黒挿入期間は基本的にランプが非点灯であることから、その電圧は黒表示電圧と同一である必要性はない。
【００２６】
そこで、図５の(ａ)と(ｂ)に示すように、応答速度の早い、Ｂ＞Ｇ＞Ｒの画素順に黒挿入電圧を高く設定することで応答速度差を小さくし、ランプ１３とランプ１４の間に生じていたＲ，Ｇ，Ｂの各画素間の応答速度差による色づきを解消する。
【００２７】
図１に示す回路構成では、制御部１０の駆動制御部７が、ゲートドライバ５とソースドライバ６とに制御信号を出力し、液晶表示パネル３の応答速度の早い、Ｂ＞Ｇ＞Ｒの画素順に黒挿入電圧を高く設定する制御を行う。
【００２８】
なお、液晶駆動の応答速度は液晶表示パネル３の温度によって異なるため、広い温度範囲でランプ間の色づきなく使用するためには、各温度に応じた黒挿入電圧の設定を行う必要がある。この場合においても、たとえば温度センサ（図示しない）を設け、その値に応じて黒挿入電圧を変えるようにすれば、広い温度範囲でランプ間の色づきなく使用することが可能である。
【００２９】
以上説明したように上記発明の実施の形態によれば、液晶表示パネルにおけるＲ，Ｇ，Ｂの各画素の黒挿入電圧を通常とは逆のＢ＞Ｇ＞Ｒの画素順に設定することにより、ランプ間の色づきをなくし、隔壁を用いた高コントラストの液晶表示装置を提供することができる。
【００３０】
なお、上記実施の形態では、バックライトに隔壁を設けた場合の構成としたが、隔壁を設けない場合にランプ間の色づきが発生した場合でも本発明の構成は効果を有するものとなる。
【図面の簡単な説明】
【００３１】
【図１】液晶表示装置の回路構成を概略的に示すブロック図。
【図２】隔壁つきバックライトの概略構成を示す図。
【図３】ＯＣＢ型黒挿入型液晶表示素子とブリンキングバックライトとを用いた動作概念を示す図。
【図４】ランプ間の色づき概念を説明するための図。
【図５】黒挿入電圧によるランプ間色づき解消の概念を説明するための図。
【符号の説明】
【００３２】
１…液晶表示装置、２…バックライト、３…液晶表示パネル、４…インバータ、５…ゲートドライバ、６…ソースドライバ、７…駆動制御部、８…対向制御部、９…ＰＷＭ制御部、１０…制御部、１１，１２，１３，１４，１５，１６…ランプ、２０…隔壁、３０…電源、４０…拡散板レンズシート。
【図１】
2007192912.tif 000003
【図２】
2007192912.tif 000004
【図３】
2007192912.tif 000005
【図４】
2007192912.tif 000006
【図５】
2007192912.tif 000007